(57)【要約】  コモンモードノイズフィルタは、内部に複数の層面が構成された積層体と、積層体の内部の互いに異なる層面にそれぞれ設けられた第１と第２の渦巻状導体を備える。第１の渦巻状導体は、第１の渦巻状導体線部と、第１の渦巻状導体線部の外側端に設けられた第１のパッド部と、渦巻状導体線部の内側端に設けられた第２のパッド部とを有する。第２の渦巻状導体は、第２の渦巻状導体線部と、第２の渦巻状導体線部の外側端に設けられた第３のパッド部と、第２の渦巻状導体線部の内側端に設けられた第４のパッド部とを有する。第１の渦巻状導体線部は第２の渦巻状導体線部と対向する。第２のパッド部は第４のパッド部と上面視で重ならない。
2017221794.tif 000002
【特許請求の範囲】
【請求項１】
上下方向に積層された複数の絶縁体層よりなり、前記複数の絶縁体層の上面と下面とが前記上下方向で互いに離れた複数の層面を構成する、積層体と、
前記積層体の内部において前記複数の層面のうちの第１の層面に設けられて、第１の内側端と第１の外側端とを有する第１の渦巻状導体線部と、前記第１の渦巻状導体線部の前記第１の外側端に設けられた第１のパッド部と、前記第１の渦巻状導体線部の前記第１の内側端に設けられた第２のパッド部とを有する第１の渦巻状導体と、
前記積層体の内部において前記複数の層面のうちの第２の層面に設けられて、第２の内側端と第２の外側端とを有する第２の渦巻状導体線部と、前記第２の渦巻状導体線部の前記第２の外側端に設けられた第３のパッド部と、前記第２の渦巻状導体線部の前記第２の内側端に設けられた第４のパッド部とを有する第２の渦巻状導体と、
前記積層体の内部において前記複数の層面のうちの前記第１の層面と異なる層面に設けられて、第１の引出導体部と、前記第１の引出導体部の第１の端部に設けられた第５のパット部とを有する第１の引出導体と、
前記積層体の内部において前記複数の層面のうちの前記第１の層面と異なる層面に設けられて、第２の引出導体部と、前記第２の引出導体部の第１の端部に設けられた第６のパット部とを有する第２の引出導体と、
前記積層体の内部において前記複数の層面のうちの前記第２の層面と異なる層面に設けられて、第３の引出導体部と、前記第３の引出導体部の第１の端部に設けられた第７のパット部とを有する第３の引出導体と、
前記積層体の内部において前記複数の層面のうちの前記第２の層面と異なる層面に設けられて、第４の引出導体部と、前記第４の引出導体部の第１の端部に設けられた第８のパット部とを有する第４の引出導体と、
前記複数の絶縁体層の少なくとも１つを貫通して前記第１のパッド部と前記第５のパッド部とに接続された第１のビア電極と、
前記複数の絶縁体層の少なくとも１つを貫通して前記第２のパッド部と前記第６のパッド部とに接続された第２のビア電極と、
前記複数の絶縁体層の少なくとも１つを貫通して前記第３のパッド部と前記第７のパッド部とに接続された第３のビア電極と、
前記複数の絶縁体層の少なくとも１つを貫通して前記第４のパッド部と前記第８のパッド部とに接続された第４のビア電極と、
を備え、
前記第１の渦巻状導体線部は前記複数の絶縁体層のうちの１つを介して前記第２の渦巻状導体線部と対向しており、
前記第２のパッド部と前記第６のパッド部とのそれぞれは、前記第４のパッド部と前記第８パッド部とのいずれとも上面視で重ならない、コモンモードノイズフィルタ。
【請求項２】
前記第１のパッド部と第５のパッド部とのそれぞれは、前記第３のパッド部と前記第７のパッド部とのいずれとも上面視で重ならない、請求項１に記載のコモンモードノイズフィルタ。
【請求項３】
前記第２のパッド部と前記第６のパッド部とのそれぞれから前記第４のパッド部と前記第８のパッド部とのそれぞれまでの上面視での距離は、前記第１から第８のパッド部の直径よりも大きい、請求項２に記載のコモンモードノイズフィルタ。
【請求項４】
前記第１の渦巻状導体線部は、
前記第１の外側端から延びて、前記第２の渦巻状導体線部と上面視で重ならない第１の外側非重畳部と、
前記第１の外側非重畳部に接続されて、前記第２の渦巻状導体線部と上面視で重なる第１の重畳部と、
を有し、
前記第２の渦巻状導体線部は、
前記第２の外側端から延びて、前記第１の渦巻状導体線部と上面視で重ならない第２の外側非重畳部と、
前記第２の外側非重畳部に接続されて、前記第１の渦巻状導体線部と上面視で重なる第２の重畳部と、
を有し、
前記第１の重畳部は上面視で接続位置で前記第１の外側非重畳部に接続されており、
前記第２の重畳部は上面視で前記接続位置で前記第２の外側非重畳部に接続されており、
前記第２の外側端に比べて前記第１の外側端は前記接続位置に近い、請求項２に記載のコモンモードノイズフィルタ。
【請求項５】
前記第２の外側非重畳部の線長は前記第１の外側非重畳部の線長より長い、請求項４に記載のコモンモードノイズフィルタ。
【請求項６】
前記第１の渦巻状導体線部は、前記第１の内側端から延びて前記第１の重畳部に接続されて、前記第２の渦巻状導体線部と上面視で重ならない内側非重畳部をさらに有する、請求項４に記載のコモンモードノイズフィルタ。
【請求項７】
前記第１の引出導体と前記第２の引出導体と前記第１の渦巻状導体とは第１のコイルを構成し、
前記第３の引出導体と前記第４の引出導体と前記第３の渦巻状導体とは第２のコイルを構成し、
前記第１の外側非重畳部の線長と前記第２の外側非重畳部の線長と前記内側非重畳部の線長とは、前記第１のコイルの線長が前記第２のコイルの線長と実質的に等しくなるように設定されている、請求項６に記載のコモンモードノイズフィルタ。
【請求項８】
前記第１の引出導体と前記第２の引出導体と前記第１の渦巻状導体とは第１のコイルを構成し、
前記第３の引出導体と前記第４の引出導体と前記第３の渦巻状導体とは第２のコイルを構成し、
前記第１の外側非重畳部の線長と前記第２の外側非重畳部の線長とは、前記第１のコイルの線長が前記第２のコイルの線長と実質的に等しくなるように設定されている、請求項４に記載のコモンモードノイズフィルタ。
【請求項９】
上面視において前記第２の渦巻状導体線部は前記第１の渦巻状導体線部の前記第１の外側端と重なる、請求項２に記載のコモンモードノイズフィルタ。
【請求項１０】
前記第１の引出導体は前記第３の引出導体と上面視で重ならず、
前記第２の引出導体は前記第４の引出導体と上面視で重ならない、請求項２に記載のコモンモードノイズフィルタ。
【請求項１１】
前記積層体の外部に設けられて前記第１の引出導体部の第２の端部に接続された第１の外部電極と、
前記積層体の外部に設けられて前記第２の引出導体部の第２の端部に接続された第２の外部電極と、
前記積層体の外部に設けられて前記第３の引出導体部の第２の端部に接続された第３の外部電極と、
前記積層体の外部に設けられて前記第４の引出導体部の第２の端部に接続された第４の外部電極と、
をさらに備えた、請求項１に記載のコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関する。
【背景技術】
【０００２】
図８は従来のコモンモードノイズフィルタ５０１の分解斜視図である。コモンモードノイズフィルタ５０１では、絶縁層１ａ〜１ｄのそれぞれの上面に導体２〜５が設けられている。導体２の一端部に形成されたパッド部２ａと導体３の一端部に形成されたパッド部３ａとをビア電極６ａを介して接続することによりコイル７を形成する。導体４の一端部に形成されたパッド部４ａと導体５の一端部に形成されたパッド部５ａとをビア電極６ｂを介して接続することによりコイル８を形成する。導体３、４は渦巻形状を有する。導体２〜５の他端部はそれぞれ外部電極に接続されている。【０００３】
コモンモードノイズフィルタ５０１に類似の従来のコモンモードノイズフィルタは、例えば、特許文献１に開示されている。
【先行技術文献】
【特許文献】
【０００４】
【特許文献１】特開２００１−６０５１４号公報
【発明の概要】
【０００５】
コモンモードノイズフィルタは、内部に複数の層面が構成された積層体と、積層体の内部の互いに異なる層面にそれぞれ設けられた第１と第２の渦巻状導体を備える。第１の渦巻状導体は、第１の渦巻状導体線部と、第１の渦巻状導体線部の外側端に設けられた第１のパッド部と、渦巻状導体線部の内側端に設けられた第２のパッド部とを有する。第２の渦巻状導体は、第２の渦巻状導体線部と、第２の渦巻状導体線部の外側端に設けられた第３のパッド部と、第２の渦巻状導体線部の内側端に設けられた第４のパッド部とを有する。第１の渦巻状導体線部は第２の渦巻状導体線部と対向する。第２のパッド部は第４のパッド部と上面視で重ならない。
【０００６】
このコモンモーモードノイズフィルタは高周波帯域での使用が可能である。
【図面の簡単な説明】
【０００７】
【図１Ａ】図１Ａは実施の形態におけるコモンモードノイズフィルタの斜視図である。
【図１Ｂ】図１Ｂは図１Ａに示すコモンモードノイズフィルタの線１Ｂ−１Ｂにおける断面図である。
【図２】図２は実施の形態におけるコモンモードノイズフィルタの分解斜視図である。
【図３】図３は実施の形態におけるコモンモードノイズフィルタの主要部の上面図である。
【図４】図４は実施の形態におけるコモンモードノイズフィルタの主要部の上面図である。
【図５Ａ】図５Ａは実施の形態における他のコモンモードノイズフィルタの主要部の上面図である。
【図５Ｂ】図５Ｂは図５Ａに示すコモンモードノイズフィルタの主要部の上面図である。
【図６】図６は実施の形態におけるさらに他のコモンモードノイズフィルタの主要部の上面図である。
【図７】図７は図６に示すコモンモードノイズフィルタの主要部の上面図である。
【図８】図８は比較例のコモンモードノイズフィルタの分解斜視図である。
【発明を実施するための形態】
【０００８】
図１Ａは実施の形態におけるコモンモードノイズフィルタ１００１の斜視図である。図１Ｂは図１Ａに示すコモンモードノイズフィルタ１００１の線１Ｂ−１Ｂにおける断面図である。図２はコモンモードノイズフィルタ１００１の分解斜視図である。
【０００９】
コモンモードノイズフィルタ１００１は、積層体１２と、積層体１２の外部に形成された外部電極１３ａ〜１３ｄと、積層体１２の内部に形成された渦巻状導体１４、１５と、積層体１２の内部に形成された引出導体１６〜１９とを備えている。積層体１２は、上下方向Ｄ１に互いに積層された絶縁体層１１ａ〜１１ｅよりなる。渦巻状導体１４と引出導体１６、１７とは互いに接続されてコイル２０を構成する。渦巻状導体１５と引出導体１８、１９とは互いに接続されてコイル２１を構成する。
【００１０】
図１Ｂに示すように、積層体１２は、上下方向Ｄ１に積層された複数の絶縁体層１１ａ〜１１ｅ、２３ａ、２３ｂよりなる。具体的には、絶縁体層１１ａは絶縁体層２３ａの上面１２３ａに積層されている。絶縁体層１１ｂは絶縁体層１１ａの上面１１１ａに積層されている。絶縁体層１１ｃは絶縁体層１１ｂの上面１１１ｂに積層されている。絶縁体層１１ｄは絶縁体層１１ｃの上面１１１ｃに積層されている。絶縁体層１１ｅは絶縁体層１１ｄの上面１１１ｄに積層されている。絶縁体層２３ｂは絶縁体層１１ｅの上面１１１ｅに積層されている。絶縁体層１１ａ〜１１ｅ、２３ａ、２３ｂの上面と下面とは上下方向Ｄ１で互いに離れた複数の層面Ｐ１〜Ｐ８を構成する。具体的には、絶縁体層２３ａの下面２２３ａは層面Ｐ１を構成する。絶縁体層２３ａの上面１２３ａと絶縁体層２３ａの上面１２３ａに位置する絶縁体層１１ａの下面２１１ａは層面Ｐ２を構成する。絶縁体層１１ａの上面１１１ａと絶縁体層１１ａの上面１１１ａに位置する絶縁体層１１ｂの下面２１１ｂは層面Ｐ３を構成する。絶縁体層１１ｂの上面１１１ｂと絶縁体層１１ｂの上面１１１ｂに位置する絶縁体層１１ｃの下面２１１ｃは層面Ｐ４を構成する。絶縁体層１１ｃの上面１１１ｃと絶縁体層１１ｃの上面１１１ｃに位置する絶縁体層１１ｄの下面２１１ｄは層面Ｐ５を構成する。絶縁体層１１ｄの上面１１１ｄと絶縁体層１１ｄの上面１１１ｄに位置する絶縁体層１１ｅの下面２１１ｅは層面Ｐ６を構成する。絶縁体層１１ｅの上面１１１ｅと絶縁体層１１ｅの上面１１１ｅに位置する絶縁体層２３ｂの下面２２３ｂは層面Ｐ７を構成する。絶縁体層２３ｂの上面１２３ｂは層面Ｐ８を構成する。
【００１１】
渦巻状導体１４は、積層体１２の内部において複数の層面Ｐ１〜Ｐ８のうちの層面Ｐ４に設けられている。渦巻状導体１５は、積層体１２の内部において複数の層面Ｐ１〜Ｐ８のうちの層面Ｐ５に設けられている。引出導体１６は積層体１２の内部において複数の層面Ｐ１〜Ｐ８のうちの層面Ｐ４と異なる層面Ｐ３に設けられている。引出導体１７は、積層体１２の内部において複数の層面Ｐ１〜Ｐ８のうちの層面Ｐ４と異なる層面Ｐ３に設けられている。引出導体１８は、積層体１２の内部において複数の層面Ｐ１〜Ｐ８のうちの層面Ｐ５と異なる層面Ｐ６に設けられている。引出導体１９は、積層体１２の内部において複数の層面Ｐ１〜Ｐ８のうちの層面Ｐ５と異なる層面Ｐ６に設けられている。
【００１２】
渦巻状導体１４の渦巻状導体線部１４ｐは渦巻状導体１５の渦巻状導体線部１５ｐと絶縁体層１１ａ〜１１ｅのうちの１つの絶縁体層１１ｃを介して対向する。外部電極１３ａ〜１３ｄは引出導体１６〜１９の端部１６ａ〜１９ａとそれぞれ接続されている。渦巻状導体１４、１５は引出導体１６〜１９と異なる絶縁体層に形成されている。
【００１３】
絶縁体層１１ａはＣｕ−Ｎｉ−Ｚｎフェライト等の磁性材料、またはＣｕ−Ｚｎフェライト、ガラスセラミック等の非磁性材料よりなり、シート形状を有して絶縁性を有している。
【００１４】
引出導体１６、１７は、絶縁体層１１ａの上面１１１ａに銀等の導電材料をめっき、印刷することにより形成されている。引出導体１６、１７は絶縁体層１１ａの上面１１１ａに沿って異なる方向に引き出されている。引出導体１６の端部１６ａは外部電極１３ａと接続され、引出導体１７の端部１７ａは外部電極１３ｂと接続されている。
【００１５】
絶縁体層１１ｂは、Ｃｕ−Ｚｎフェライト、ガラスセラミック等の非磁性材料よりなり、シート形状を有して絶縁性を有する。絶縁体層１１ｂは引出導体１６、１７の上面に設けられている。絶縁体層１１ｂには絶縁体層１１ｂの上面１１１ｂから下面２１１ｂまで貫通するビア電極２２ａ、２２ｂが形成されている。引出導体１６はビア電極２２ａと接続され、引出導体１７はビア電極２２ｂと接続されている。
【００１６】
渦巻状導体１４は、銀等の導電材料をめっきまたは印刷することにより形成されて渦巻形状を有し、絶縁体層１１ｂの上面１１１ｂに設けられている。渦巻状導体１４の外側端１４ａはビア電極２２ａと接続され、これにより、ビア電極２２ａを介して引出導体１６と電気的に接続されている。渦巻状導体１４の内側端１４ｂすなわち渦巻きの中心部はビア電極２２ｂと接続され、これにより、ビア電極２２ｂを介して引出導体１７と電気的に接続されている。
【００１７】
この構成により、渦巻状導体１４の外側端１４ａと内側端１４ｂにそれぞれ接続された引出導体１６と引出導体１７と、渦巻状導体１４とはコイル２０を構成する。
【００１８】
渦巻状導体１４の外側端１４ａと内側端１４ｂは絶縁体層１１ｂから直接外部電極に接続されない。すなわち、渦巻状導体１４が上面１１１ｂに形成された絶縁体層１１ｂと異なる絶縁体層１１ａの上面１１１ａ上に、渦巻状導体１４と接続された引出導体１６、１７が形成され、渦巻状導体１４の外側端１４ａと内側端１４ｂは引出導体１６、１７を介しての外部電極１３ａ、１３ｂとそれぞれ接続される。
【００１９】
絶縁体層１１ｃは、Ｃｕ−Ｚｎフェライト、ガラスセラミック等の非磁性材料よりなりシート形状を有し、絶縁性を有する。絶縁体層１１ｃは渦巻状導体１４の上面に設けられている。
【００２０】
渦巻状導体１５は、銀等の導電材料をめっきまたは印刷することにより形成されて渦巻形状を有し、絶縁体層１１ｃの上面１１１ｃに設けられている。渦巻状導体１５は絶縁体層１１ｃを介して渦巻状導体１４と上面視にて重なるように対向し、渦巻状導体１４と磁気結合する。
【００２１】
絶縁体層１１ｄは、Ｃｕ−Ｚｎフェライト、ガラスセラミック等の非磁性材料よりなりシート形状を有して、絶縁性を有する。絶縁体層１１ｄは渦巻状導体１５の上面に設けられている。絶縁体層１１ｄには絶縁体層１１ｄの上面１１１ｄから下面２１１ｄを貫通するビア電極２２ｃ、２２ｄが形成されている。渦巻状導体１５の外側端１５ａはビア電極２２ｃと接続され、内側端１５ｂすなわち渦巻きの中心部はビア電極２２ｄと接続されている。
【００２２】
ビア導体２２ａ〜２２ｄの構造について説明する。図２はビア電極２２ａ〜２２ｄのうちの例えばビア電極２２ｄを示す。図２に示すように、ビア電極２２ｄは複数の絶縁体層１１ａ〜１１ｅの少なくとも１つの絶縁体層１１ｄを貫通してパッド部２９、３３に接続されている。同様に、ビア電極２２ａは複数の絶縁体層１１ａ〜１１ｅの少なくとも１つの絶縁体層１１ｂを貫通してパッド部２６、３０に接続されている。ビア電極２２ｂは複数の絶縁体層１１ａ〜１１ｅの少なくとも１つの絶縁体層１１ｂを貫通してパッド部２７、３１に接続されている。ビア電極２２ｃは複数の絶縁体層１１ａ〜１１ｅの少なくとも１つの絶縁体層１１ｄを貫通してパッド部２８、３２に接続されている。
【００２３】
引出導体１８、１９は、銀等の導電材料をめっき、印刷することにより形成され、絶縁体層１１ｄの上面１１１ｄに設けられている。引出導体１８、１９は絶縁体層１１ｄの上面１１１ｄに沿って互いに異なる方向に引き出されている。
【００２４】
引出導体１８はビア電極２２ｃと接続されており、これにより、ビア電極２２ｃを介して渦巻状導体１５の外側端１５ａと電気的に接続される。引出導体１９はビア電極２２ｄと接続されており、これにより、ビア電極２２ｄを介し渦巻状導体１５の内側端１５ｂと電気的に接続されている。
【００２５】
この構成により、渦巻状導体１５の外側端１５ａと内側端１５ｂとにビア電極２２ｃとビア電極２２ｄとを介してそれぞれ接続された引出導体１８と引出導体１９と、渦巻状導体１５とはコイル２１を構成する。
【００２６】
渦巻状導体１５の外側端１５ａと内側端１５ｂは絶縁体層１１ｃから直接外部電極に接続されていない。渦巻状導体１５が上面１１１ｃに形成された絶縁体層１１ｃと異なる絶縁体層１１ｄ上に、渦巻状導体１５と接続された引出導体１８、１９が形成されている。渦巻状導体１５は引出導体１８、１９を介して外部電極１３ｃ、１３ｄとそれぞれ接続されている。
【００２７】
ビア電極２２ａ、２２ｂは絶縁体層１１ｂを貫通する孔に銀等の導電体を充填することにより構成されている。ビア電極２２ｃ、２２ｄは絶縁体層１１ｄを貫通する孔に銀等の導電体を充填することにより構成されている。
【００２８】
絶縁体層１１ｅは、Ｃｕ−Ｎｉ−Ｚｎフェライト等の磁性材料、またはＣｕ−Ｚｎフェライト、ガラスセラミック等の非磁性材料よりなりシート形状を有し、絶縁性を有する。絶縁体層１１ｅは引出導体１８、１９の上面に設けられている。
【００２９】
絶縁体層１１ａの下面２１１ａには絶縁体層２３ａが設けられており、絶縁体層１１ｅの上面１１１ｅには絶縁体層２３ｂが設けられている。絶縁体層２３ａ、２３ｂはシート形状を有して絶縁性を有している。絶縁体層２３ａ、２３ｂのそれぞれは磁性材料または非磁性材料のどちらで構成されていてもよく、交互に積層された磁性体と非磁性体とより構成されていてもよい。絶縁体層１１ａ〜１１ｅと絶縁体層２３ａ、２３ｂの枚数は、図２に示す枚数に限定されるものではない。
【００３０】
上記したように、絶縁体層１１ａ〜１１ｅと絶縁体層２３ａ、２３ｂは互いに積層されて積層体１２を構成する。積層体１２の端面３１２には外部電極１３ａ、１３ｃが設けられており、積層体１２の端面３１２の反対側の端面４１２には外部電極１１３ｂ、１３ｄが設けられている。外部電極１３ａ〜１３ｄは引出導体１６〜１９の端部１６ａ〜１９ａとそれぞれ電気的に接続されている。
【００３１】
絶縁体層１１ａ〜１１ｅのうち非磁性材料よりなる絶縁体層の少なくとも１枚について、上面視で渦巻状導体１４、１５の内側に対応する部分に貫通孔を設け、この貫通孔を磁性材料で充填して磁性ビア９１ｂ〜９１ｄが形成されている。実施の形態では、磁性ビア９１ｂは絶縁体層１１ｂの上面１１１ｂから下面２１１ｂまで貫通して絶縁体層１１ｂに設けられている。磁性ビア９１ｃは絶縁体層１１ｃの上面１１１ｃから下面２１１ｃまで貫通して絶縁体層１１ｃに設けられている。磁性ビア９１ｄは絶縁体層１１ｄの上面１１１ｄから下面２１１ｄまで貫通して絶縁体層１１ｄに設けられている。磁性ビア９１ｂ〜９１ｄはコモンモードの信号に対するインピーダンスを高める。なお、コモンモードノイズフィルタ１００１は磁性ビア９１ｂ〜９１ｄのうちの少なくとも１つを備えていなくてもよい。
【００３２】
次に、渦巻状導体１４、１５と引出導体１６〜１９の配置について詳細に説明する。図３は、引出導体１８、１９が形成された絶縁体層１１ｄの上面１１１ｄと、渦巻状導体１５が形成された絶縁体層１１ｃの上面１１１ｃと、渦巻状導体１４が形成された絶縁体層１１ｂの上面１１１ｂと、引出導体１６、１７が形成された絶縁体層１１ａ上面１１１ａとを示す。
【００３３】
絶縁体層１１ｄの上面１１１ｄには引出導体１８、１９が形成されている。引出導体１８は、端部１８ａ、１８ｂを有する引出導体部１８ｐと、引出導体部１８ｐの端部１８ｂに設けられてビア電極２２ｃに接続されたパッド部３２とを有する。引出導体部１８ｐの端部１８ａは外部電極１３ｃに接続されている。引出導体１９は、端部１９ａ、１９ｂを有する引出導体部１９ｐと、引出導体部１９ｐの端部１９ｂに設けられてビア電極２２ｄに接続されたパッド部３３とを有する。引出導体部１９ｐの端部１９ａは外部電極１３ｄに接続されている。引出導体部１８ｐ、１９ｐは端部１８ａ、１９ａから端部１８ｂ、１９ｂまでそれぞれ細長く延びる。上面視において、パッド部３２、３３の径は、引出導体部１８ｐ、１９ｐが細長く延びる方向と直角の方向の引出導体部１８ｐ、１９ｐの線幅より大きい。引出導体部１８ｐ、１９ｐの端部１８ａ、１９ａの幅は局部的に大きく、すなわち引出導体部１８ｐ、１９ｐの上記線幅より大きい。このように、引出導体部１８ｐの端部１８ａと端部１８ｂ（パッド部３２）は、引出導体部１８ｐの他の部分より線幅が広くなっている。同様に、引出導体部１９ｐの端部１９ａと端部１９ｂ（パッド部３３）は、引出導体部１９ｐの他の部分より線幅が広くなっている。
【００３４】
絶縁体層１１ｃの上面１１１ｃには渦巻状導体１５が形成されている。渦巻状導体１５は、外側端１５ａと内側端１５ｂとを有する渦巻状導体線部１５ｐと、外側端１５ａに設けられてビア電極２２ｃと接続されたパッド部２８と、内側端１５ｂに設けられてビア電極２２ｄと接続されたパッド部２９とを有する。渦巻状導体線部１５ｐは外側端１５ａから内側端１５ｂまで渦巻形状の中心に向かって渦巻状に細長く延びる。上面視において、パッド部２８、２９の径は、渦巻状導体線部１５ｐが細長く延びる方向と直角の方向の渦巻状導体線部１５ｐの線幅より大きい。
【００３５】
絶縁体層１１ｂの上面１１１ｂに渦巻状導体１４が形成されている。渦巻状導体１４は、外側端１４ａと内側端１４ｂとを有する渦巻状導体線部１４ｐと、外側端１４ａに設けられてビア電極２２ａと接続されたパッド部２６と、内側端１４ｂに設けられてビア電極２２ｂと接続されたパッド部２７とを有する。渦巻状導体線部１４ｐは外側端１４ａから内側端１４ｂまで渦巻形状の中心に向かって渦巻状に細長く延びる。上面視において、パッド部２６、２７の径は、渦巻状導体線部１４ｐが細長く延びる方向と直角の方向の渦巻状導体線部１４ｐの線幅より大きい。
【００３６】
絶縁体層１１ａの上面１１１ａには引出導体１６、１７が形成されている。引出導体１６は、端部１６ａ、１６ｂを有する引出導体部１６ｐと、端部１６ｂに設けられてビア電極２２ａに接続されたパッド部３０とを有する。引出導体部１６ｐの端部１６ａは外部電極１３ａに接続されている。引出導体１７は、端部１７ａ、１７ｂを有する引出導体部１７ｐと、端部１７ｂに設けられてビア電極２２ｂに接続されたパッド部３１とを有する。引出導体部１７ｐの端部１７ａは外部電極１３ｂに接続されている。引出導体部１６ｐ、１７ｐは端部１６ａ、１７ａから端部１６ｂ、１７ｂまでそれぞれ細長く延びる。上面視において、パッド部３２、３３の径は、引出導体部１６ｐ、１７ｐが細長く延びる方向と直角の方向の引出導体部１６ｐ、１７ｐの線幅より大きい。引出導体部１６ｐ、１７ｐの端部１６ａ、１７ａの幅は局部的に大きく、すなわち引出導体部１６ｐ、１７ｐの上記線幅より大きい。このように、引出導体部１６ｐの端部１６ａと端部１６ｂ（パッド部３０）は、引出導体部１６ｐの他の部分より線幅が広くなっている。同様に、引出導体部１７ｐの端部１７ａと端部１７ｂ（パッド部３１）は、引出導体部１７ｐの他の部分より線幅が広くなっている。
【００３７】
パッド部２６、２７、３０、３１はコイル２０の一部分をなす。パッド部２８、２９、３２、３３はコイル２１の一部分をなす。
【００３８】
パッド部２６、３０とビア電極２２ａは上面視で重なっており、互いに接続されている。パッド部２７、３１とビア電極２２ｂは上面視で重なっており、互いに接続されている。
【００３９】
パッド部２８、３２とビア電極２２ｃは上面視で重なっており、互いに接続されている。パッド部２９、３３とビア電極２２ｄは上面視で重なっており、互いに接続されている。
【００４０】
上面視でビア電極２２ａの面積はパッド部２６、３０のそれより小さく、上面視でビア電極２２ａはパッド部２６、３０から露出しない。上面視でビア電極２２ｂの面積はパッド部２７、３１のそれより小さく、上面視でビア電極２２ｂはパッド部２７、３１から露出しない。上面視でビア電極２２ｃの面積はパッド部２８、３２のそれより小さく、上面視でビア電極２２ｃはパッド部２８、３２から露出しない。上面視でビア電極２２ｄの面積はパッド部２９、３３のそれより小さく、上面視でビア電極２２ｄはパッド部２９、３３から露出しない。
【００４１】
上面視で渦巻状導体１４の内側端１４ｂにおけるコイル２０のパッド部２７、３１は、渦巻状導体１５の内側端１５ｂにおけるコイル２１のパッド部２９、３３は重ならない。同様に、上面視で渦巻状導体１４の外側端１４ａにおけるコイル２０のパッド部２６、３０は渦巻状導体１５の外側端１５ａにおけるコイル２１のパッド部２８、３２は上面視で重ならない。
【００４２】
引出導体１６〜１９の引出導体部１６ｐ〜１９ｐの上下方向Ｄ１の厚みは渦巻状導体１４、１５の渦巻状導体線部１４ｐ、１５ｐのそれより大きい。もしくは、引出導体１６〜１９の引出導体部１６ｐ〜１９ｐの線幅は渦巻状導体１４、１５の渦巻状導体線部１４ｐ、１５ｐの線幅より大きい。これにより、引出導体１６〜１９を外部電極１３ａ〜１３ｄと高い信頼性で接続することができる。引出導体１６〜１９はコモンモードノイズに影響をほとんど与えないため、直流抵抗値や特性インピーダンスの変動を低減できる。
【００４３】
図４は、絶縁体層１１ａ〜１１ｅを積層した場合の渦巻状導体１４、１５と引出導体１６〜１９を示す。
【００４４】
図３、図４に示すように、渦巻状導体１４の外側端１４ａに設けられたパッド部２６、３０のそれぞれは渦巻状導体１５の外側端１５ａに設けられたパッド部２８、３２のいずれとも上面視で重なっていない。渦巻状導体１４の内側端１４ｂに設けられたパッド部２７、３１のそれぞれは渦巻状導体１５の内側端１５ｂに設けられたパッド部２９、３３のいずれとも上面視で重なっていない。すなわち、コイル２０の一部分のパッド部２６、３０はコイル２１の一部分のパッド部２８、３２と上面視で重ならず、コイル２０の一部分のパッド部２７、３１はコイル２１の一部分のパッド部２９、３３と上面視で重なっていない。
【００４５】
引出導体１７の引出導体部１７ｐの部分１７ｃは、引出導体１９の引出導体部１９ｐの部分１９ｃと上面視で重なっている。渦巻状導体１４、１５の外側端１４ａ、１５ａの近傍部１４ｃ、１５ｃの一部は上面視で互いに重なっている。
【００４６】
上述のように、コイル２０、２１と、コイル２０、２１を構成する渦巻状導体１４、１５（渦巻状導体線部１４ｐ、１５ｐ）と引出導体１６〜１９（引出導体部１６ｐ〜１９ｐ）は細長く延びている線状導体である。線状導体は細長く延びる方向に沿った長さである線長を有する。以下に、コイル２０、２１と渦巻状導体１４、１５（渦巻状導体線部１４ｐ、１５ｐ）と引出導体１６〜１９（引出導体部１６ｐ〜１９ｐ）の線長について説明する。
【００４７】
パッド部２７、３１のそれぞれがパッド部２９、３３のいずれとも上面視で重ならないようにするために、渦巻状導体１４の内側端１４ｂは渦巻状導体１５の内側端１５ｂより巻き進んだ箇所に形成される。すなわち、渦巻状導体１５の内側端１５ｂは渦巻状導体１４の渦巻状導体線部１４ｐと上面視で重なっている。したがって、渦巻状導体１５より渦巻状導体１４（渦巻状導体線部１４ｐ）に沿った渦巻状導体１４（渦巻状導体線部１４ｐ）の線長が渦巻状導体１５（渦巻状導体線部１５ｐ）に沿った渦巻状導体１５（渦巻状導体線部１５ｐ）の線長より大きくなる。
【００４８】
図３、図４に示すように、外部電極１３ａ、１３ｃと、外部電極１３ａ、１３ｃの反対側に位置する外部電極１３ｂ、１３ｄとを結ぶ方向に延びて、上面視で重なる外側端１４ａ、１５ａの近傍部１４ｃ、１５ｃを通る線ＬＡを定義する。上記方向に延びて上面視で積層体１２の中心部を通る中心線ＬＢを定義する。線ＬＡは中心線ＬＢについて渦巻状導体１４の外側端１４ａの側に位置する。これにより、渦巻状導体１４における近傍部１４ｃと外側端１４ａとの線長を、渦巻状導体１５における近傍部１５ｃと外側端１５ａとの線長より短くすることできる。この結果、渦巻状導体１４（コイル２０）と渦巻状導体１５（コイル２１）の線長を実質的に等しくすることができる。
【００４９】
なお、上面視において、渦巻状導体１４の内側端１４ｂと渦巻状導体１５の内側端１５ｂとの間の距離を線ＬＡと中心線ＬＢとの距離の２倍となるようにするのが好ましい。
【００５０】
渦巻状導体１４と渦巻状導体１５の線長を実質的に等しくすることによって、コイル２０、２１を通る信号の周波数が高くても、これらの信号のタイミングの位相のずれを防ぐことができ、これらの信号のコモンモードノイズを効果的に低減することができる。
【００５１】
引出導体１７の引出導体部１７ｐの部分１７ｃは、引出導体１９の引出導体部１９ｐの部分１９ｃと上面視で重なり、渦巻状導体１４、１５の外側端１４ａ、１５ａの近傍部１４ｃ、１５ｃの一部が互いに上面視で重なっている。したがって、引出導体１６の線長は引出導体１８の線長に実質的に等しく、引出導体１７の線長は引出導体１９の線長に実質的に等しくなる。これにより、渦巻状導体１４、１５の線長を互いに実質的に等しくすることで、コイル２０、２１の線長も互いに実質的に等しくすることができる。引出導体１６の線長が引出導体１８の線長と等しくない、または、引出導体１７の線長が引出導体１９の線長と等しくない場合には、線ＬＡと中心線ＬＢとの間の距離を調整して、コイル２０、２１の線長を互いに実質的に等しくすることが好ましい。
【００５２】
図３と図４を参照して各導体部の線長を詳述する。渦巻状導体線部１４ｐは、外側端１４ａから延びる外側非重畳部２１４ａと、外側非重畳部２１４ａに接続された重畳部１１４と、内側端１４ｂから延びて重畳部１１４に接続された内側非重畳部２１４ｂとを有する。外側非重畳部２１４ａと内側非重畳部２１４ｂとは、渦巻状導体線部１５ｐと上面視で重ならない。重畳部１１４は渦巻状導体線部１５ｐと上面視で重なる。渦巻状導体線部１５ｐは、外側端１５ａから延びる外側非重畳部２１５ａと、外側非重畳部２１５ａに接続された重畳部１１５とを有する。外側非重畳部２１５ａは渦巻状導体線部１４ｐと上面視で重ならない。重畳部１１４は上面視で接続位置５１で外側非重畳部２１４ａに接続されている。重畳部１１５は上面視で接続位置５１で外側非重畳部２１５ａに接続されている。外側端１５ａに比べて外側端１４ａは接続位置５１に近い。外側非重畳部２１５ａの線長は外側非重畳部２１４ａ線長より長い。重畳部１１４，１１５は近傍部１４ｃ，１５ｃを含み、線Ｌａと部分的に重なる。
【００５３】
引出導体部１７ｐ、１９ｐの線長が互いに等しくかつ引出導体部１６ｐ、１８ｐの線長が互いに等しい場合には、外側非重畳部２１４ａ、２１５ａの線長と内側非重畳部２１４ｂの線長とは、コイル２０の線長がコイル２１の線長と実質的に等しくなるように設定することができる。
【００５４】
引出導体部１７ｐ、１９ｐの線長が互いに等しくない、もしくは引出導体部１６ｐ、１８ｐの線長が互いに等しくない場合には、外側非重畳部２１４ａ、２１５ａの線長と内側非重畳部２１４ｂの線長と引出導体部１６ｐ〜１９ｐの線長とは、コイル２０の線長がコイル２１の線長と実質的に等しくなるように設定することができる。
【００５５】
コイル２０、２１の線長を実質的に等しくすることによって、コイル２０、２１を通る信号の周波数が高くても、これらの信号のタイミングの位相のずれを防ぐことができ、これらの信号のコモンモードノイズを効果的に低減することができる。
【００５６】
図５Ａと図５Ｂは実施の形態における他のコモンモードノイズフィルタ１００２の主要部の上面図である。図５Ａと図５Ｂにおいて、図１Ａから図４に示すコモンモードノイズフィルタ１００１と同じ部分には同じ参照番号を付す。図５Ａと図５Ｂに示すコモンモードノイズフィルタ１００２では、渦巻状導体１５の渦巻状導体線部１５ｐに渦巻状導体１４の渦巻状導体１４の外側端１４ａが上面視で重なっている。これにより、渦巻状導体１４の線長を渦巻状導体１５の線長と実質的に等しくすることができる。コモンモードノイズフィルタ１００２では、引出導体１６は引出導体１８と上面視で重なっていない。コモンモードノイズフィルタ１００２では、コモンモードノイズフィルタ１００１と同様に、渦巻状導体１４の外側端１４ａは、渦巻状導体１５の渦巻状導体線部１５ｐと上面視で重なっている。
【００５７】
コモンモードノイズフィルタ１００１、１００２では、図３から図５Ｂに示すように、引出導体部１７ｐの部分１７ｃが引出導体部１９ｐの部分１９ｃと上面視で重なっており、渦巻状導体線部１４ｐの外側端１４ａの近傍部１４ｃの一部が渦巻状導体線部１５ｐの外側端１５ａの近傍部１５ｃの一部と上面視で重なっている。これにより、コモンモードノイズフィルタ１００１、１００２の特性インピーダンスを最適化することができる。
【００５８】
図６と図７は実施の形態におけるさらに他のコモンモードノイズフィルタ１００３の主要部の上面図である。図６と図７において、図５Ａと図５Ｂに示すコモンモードノイズフィルタ１００２と同じ部分には同じ参照番号を付す。図６と図７に示すコモンモードノイズフィルタ１００３では、図５Ａと図５Ｂに示すコモンモードノイズフィルタ１００２と同様に、引出導体１６は引出導体１８と上面視で重なっていない。コモンモードノイズフィルタ１００３では、図６、図７に示すように、パッド部３０〜３３の近傍を除いて引出導体１７の引出導体部１７ｐが引出導体１９の引出導体部１９ｐと上面視で重なっていない。
【００５９】
前述のように、引出導体１６〜１９の厚みを渦巻状導体１４、１５のそれより大きくする、または引出導体１６〜１９の線幅を渦巻状導体１４、１５のそれより大きくすることにより、引出導体１６〜１９を外部電極１３ａ〜１３ｄとそれぞれ高い信頼性で接続することができる。図６、図７に示すコモンモードノイズフィルタ１００３は、引出導体１６、１８の間の浮遊容量と、引出導体１７、１９の間の浮遊容量とを低減できるので、高周波帯域でより確実に使用することができる。
【００６０】
図１Ａから図７に示すコモンモードノイズフィルタ１００１〜１００３では、内側端１４ｂ、１５ｂにおいて、パッド部２７（３１）とパッド部２９（３３）との間の上面視での距離Ｌ１１は、パッド部２６〜３３の径よりも大きい。絶縁体層１１ａ〜１１ｅを積層することで積層体１２を作製する際に、積層する工程での絶縁体層１１ａ〜１１ｅの位置の精度のばらつきにより、ビア電極２２ｄとパッド部２７、３１の中心の位置が層面Ｐ５、Ｐ６に平行な方向でずれる積層ずれが起こる場合がある。積層ずれによりビア電極２２ｄがパッド部２７、３１の近くに達してビア電極２２ｄがパッド部２７、３１の外周付近で接続されていても、コモンモードノイズフィルタ１００１〜１００３では、パッド部２７、３１のそれぞれがパッド部２９、３３のいずれも上面視で重ならずに絶縁体層を介して対向しない。これにより、パッド部２７、２９の間の浮遊容量をより確実に低減させることができる。
【００６１】
また、外側端１４ａ、１５ａにおいて、パッド部２６（３０）とパッド部２８（３２）との間の上面視での距離Ｌ１２を、パッド部２７（３１）とパッド部２９（３３）との間の上面視での距離Ｌ１１より大きくすることによって、パッド部２６、２８、３０、３２におけるコイル２０、２１の間の浮遊容量をより確実に低減させることができる。
【００６２】
近年、ＵＳＢ３．１に代表されるように１０Ｇｂｐｓという超高速伝送への対応が必要となっている。これに基づき、コモンモードノイズフィルタは高周波帯域で使用できることが求められている。
【００６３】
図８に示すコモンモードノイズフィルタ５０１においては、パッド部２ａ〜５ａが上面視にて重なり、さらに、ビア電極６ａ、６ｂに接続されているので、パッド部３ａ、４ａの幅あるいは径は、差動信号を伝送しかつ磁気結合しているコイル７、８の線幅より広くなっている。このため、パッド部２ａ〜５ａの間で大きな浮遊容量が発生し、これにより、高周波帯域では差動信号の不整合が生じ挿入損失が増加するので、高周波帯域での使用が困難になる場合がある。
【００６４】
このコモンモーモードノイズフィルタは高周波帯域での使用が可能である。
【００６５】
実施の形態におけるコモンモードノイズフィルタ１００１〜１００３において、渦巻状導体１４、１５の外側端１４ａ、１５ａにおいて、パッド部２６、３０のそれぞれがパッド部２８、３２のいずれとも上面視で重ならない。さらに、渦巻状導体１４、１５の内側端１４ｂ、１５ｂにおいて、パッド部２７、３１のそれぞれがパッド部２９、３３のいずれとも上面視で重ならない。これにより、パッド部２６（３０）とパッド部２７（３１）との間の浮遊容量と、パッド部１８（３２）とパッド部２９（３３）との間の浮遊容量とを低減させることができ、高周波帯域で差動信号の不整合が生じて挿入損失が増加するのを防ぐことができる。したがって、コモンモードノイズフィルタ１００１〜１００３は、高周波帯域で良好に使用できる。
【００６６】
すなわち、コモンモードノイズフィルタ１００１〜１００３では、渦巻状導体１４、１５の内側端１４ｂ、１５ｂにおけるパッド部２７、２９、３１、３３が上面視で互いに重ならないだけでなく、外側端１４ａ、１５ａにおけるパッド部２６、２８、３０、３２も上面視で互いに重ならない。
【００６７】
なお、実施の形態におけるコモンモードノイズフィルタ１００１〜１００３では、上下方向Ｄ１において、渦巻状導体１４、１５は引出導体１６、１７のそれぞれと引出導体１８、１９のそれぞれとの間に位置する。すなわち、渦巻状導体１４、１５が位置する層面Ｐ４、Ｐ５は、引出導体１６、１７が位置する層面Ｐ３と引出導体１８、１９が位置する層面Ｐ６との間に位置する。この配置に限らず、引出導体１６〜１９が渦巻状導体１４、１５の間に位置してもよく、すなわち、引出導体１６〜１９が位置する層面が、渦巻状導体１４が位置する層面と渦巻状導体１５が位置する層面との間に位置してもよい。
【００６８】
また、実施の形態におけるコモンモードノイズフィルタ１００１〜１００３では、引出導体１６、１７が層面Ｐ３に位置し、引出導体１８、１９が層面Ｐ６に位置する。この配置に限らず、引出導体１６が位置する層面は、引出導体１７が位置する層面と異なっていてもよい。さらに、引出導体１８が位置する層面は、引出導体１９が位置する層面と異なっていてもよい。
【００６９】
なお、実施の形態において、「上面」「下面」「上下方向」「上面視」等の方向を示す用語は、絶縁体層や渦巻状導体、引出導体等のコモンモードノイズフィルタの構成部材の相対的な位置関係でのみ決まる相対的な方向を示し、鉛直方向等の絶対的な方向を示すものではない。
【００７０】
本発明に係るコモンモードノイズフィルタは、高周波帯域で良好に使用でき、特にデジタル機器やＡＶ機器、情報通信端末等の高周波機器で有用である。
【符号の説明】
【００７１】
１１ａ〜１１ｅ    絶縁体層
１２    積層体
１３ａ    外部電極（第１の外部電極）
１３ｂ    外部電極（第２の外部電極）
１３ｃ    外部電極（第３の外部電極）
１３ｄ    外部電極（第４の外部電極）
１４    渦巻状導体（第１の渦巻状導体）
１４ｐ    渦巻状導体線部（第１の渦巻状導体線部）
１５    渦巻状導体（第２の渦巻状導体）
１５ｐ    渦巻状導体線部（第２の渦巻状導体線部）
１６    引出導体（第１の引出導体）
１６ｐ    引出導体部（第１の引出導体部）
１７    引出導体（第２の引出導体）
１７ｐ    引出導体部（第２の引出導体部）
１８    引出導体（第３の引出導体）
１８ｐ    引出導体部（第３の引出導体部）
１９    引出導体（第４の引出導体）
１９ｐ    引出導体部（第４の引出導体部）
２０    コイル（第１のコイル）
２１    コイル（第２のコイル）
２２ａ    ビア電極（第１のビア電極）
２２ｂ    ビア電極（第２のビア電極）
２２ｃ    ビア電極（第３のビア電極）
２２ｄ    ビア電極（第４のビア電極）
２６    パッド部（第１のパッド部）
２７    パッド部（第２のパッド部）
２８    パッド部（第３のパッド部）
２９    パッド部（第４のパッド部）
３０    パッド部（第５のパッド部）
３１    パッド部（第６のパッド部）
３２    パッド部（第７のパッド部）
３３    パッド部（第８のパッド部）
５１    接続位置
Ｐ１〜Ｐ３，Ｐ６〜Ｐ８    層面
Ｐ４    層面（第１の層面）
Ｐ５    層面（第２の層面）
【図１Ａ】
2017221794.tif 000003
【図１Ｂ】
2017221794.tif 000004
【図２】
2017221794.tif 000005
【図３】
2017221794.tif 000006
【図４】
2017221794.tif 000007
【図５Ａ】
2017221794.tif 000008
【図５Ｂ】
2017221794.tif 000009
【図６】
2017221794.tif 000010
【図７】
2017221794.tif 000011
【図８】
2017221794.tif 000012
【手続補正書】
【提出日】平成30年5月29日(2018.5.29)
【手続補正１】
【補正対象書類名】明細書
【補正対象項目名】０００６
【補正方法】変更
【補正の内容】
【０００６】
このコモンモードノイズフィルタは高周波帯域での使用が可能である。
【手続補正２】
【補正対象書類名】明細書
【補正対象項目名】００２２
【補正方法】変更
【補正の内容】
【００２２】
ビア導体２２ａ〜２２ｄの構造について説明する。図１Ｂはビア電極２２ａ〜２２ｄのうちの例えばビア電極２２ｄを示す。図１Ｂに示すように、ビア電極２２ｄは複数の絶縁体層１１ａ〜１１ｅの少なくとも１つの絶縁体層１１ｄを貫通してパッド部２９、３３に接続されている。同様に、ビア電極２２ａは複数の絶縁体層１１ａ〜１１ｅの少なくとも１つの絶縁体層１１ｂを貫通してパッド部２６、３０に接続されている。ビア電極２２ｂは複数の絶縁体層１１ａ〜１１ｅの少なくとも１つの絶縁体層１１ｂを貫通してパッド部２７、３１に接続されている。ビア電極２２ｃは複数の絶縁体層１１ａ〜１１ｅの少なくとも１つの絶縁体層１１ｄを貫通してパッド部２８、３２に接続されている。
【手続補正３】
【補正対象書類名】明細書
【補正対象項目名】００３０
【補正方法】変更
【補正の内容】
【００３０】
上記したように、絶縁体層１１ａ〜１１ｅと絶縁体層２３ａ、２３ｂは互いに積層されて積層体１２を構成する。積層体１２の端面３１２には外部電極１３ａ、１３ｃが設けられており、積層体１２の端面３１２の反対側の端面４１２には外部電極１３ｂ、１３ｄが設けられている。外部電極１３ａ〜１３ｄは引出導体１６〜１９の端部１６ａ〜１９ａとそれぞれ電気的に接続されている。
【手続補正４】
【補正対象書類名】明細書
【補正対象項目名】００４１
【補正方法】変更
【補正の内容】
【００４１】
上面視で渦巻状導体１４の内側端１４ｂにおけるコイル２０のパッド部２７、３１は、渦巻状導体１５の内側端１５ｂにおけるコイル２１のパッド部２９、３３と重ならない。同様に、上面視で渦巻状導体１４の外側端１４ａにおけるコイル２０のパッド部２６、３０は渦巻状導体１５の外側端１５ａにおけるコイル２１のパッド部２８、３２は上面視で重ならない。
【手続補正５】
【補正対象書類名】明細書
【補正対象項目名】００５６
【補正方法】変更
【補正の内容】
【００５６】
図５Ａと図５Ｂは実施の形態における他のコモンモードノイズフィルタ１００２の主要部の上面図である。図５Ａと図５Ｂにおいて、図１Ａから図４に示すコモンモードノイズフィルタ１００１と同じ部分には同じ参照番号を付す。図５Ａと図５Ｂに示すコモンモードノイズフィルタ１００２では、渦巻状導体１５の渦巻状導体線部１５ｐに渦巻状導体１４の外側端１４ａが上面視で重なっている。これにより、渦巻状導体１４の線長を渦巻状導体１５の線長と実質的に等しくすることができる。コモンモードノイズフィルタ１００２では、引出導体１６は引出導体１８と上面視で重なっていない。コモンモードノイズフィルタ１００２では、コモンモードノイズフィルタ１００１と同様に、渦巻状導体１４の外側端１４ａは、渦巻状導体１５の渦巻状導体線部１５ｐと上面視で重なっている。
【手続補正６】
【補正対象書類名】明細書
【補正対象項目名】００６５
【補正方法】変更
【補正の内容】
【００６５】
実施の形態におけるコモンモードノイズフィルタ１００１〜１００３において、渦巻状導体１４、１５の外側端１４ａ、１５ａにおいて、パッド部２６、３０のそれぞれがパッド部２８、３２のいずれとも上面視で重ならない。さらに、渦巻状導体１４、１５の内側端１４ｂ、１５ｂにおいて、パッド部２７、３１のそれぞれがパッド部２９、３３のいずれとも上面視で重ならない。これにより、パッド部２６（３０）とパッド部２７（３１）との間の浮遊容量と、パッド部２８（３２）とパッド部２９（３３）との間の浮遊容量とを低減させることができ、高周波帯域で差動信号の不整合が生じて挿入損失が増加するのを防ぐことができる。したがって、コモンモードノイズフィルタ１００１〜１００３は、高周波帯域で良好に使用できる。
【手続補正７】
【補正対象書類名】特許請求の範囲
【補正対象項目名】全文
【補正方法】変更
【補正の内容】
【特許請求の範囲】
【請求項１】
上下方向に積層された複数の絶縁体層よりなり、前記複数の絶縁体層の上面と下面とが前記上下方向で互いに離れた複数の層面を構成する、積層体と、
前記積層体の内部において前記複数の層面のうちの第１の層面に設けられて、第１の内側端と第１の外側端とを有する第１の渦巻状導体線部と、前記第１の渦巻状導体線部の前記第１の外側端に設けられた第１のパッド部と、前記第１の渦巻状導体線部の前記第１の内側端に設けられた第２のパッド部とを有する第１の渦巻状導体と、
前記積層体の内部において前記複数の層面のうちの第２の層面に設けられて、第２の内側端と第２の外側端とを有する第２の渦巻状導体線部と、前記第２の渦巻状導体線部の前記第２の外側端に設けられた第３のパッド部と、前記第２の渦巻状導体線部の前記第２の内側端に設けられた第４のパッド部とを有する第２の渦巻状導体と、
前記積層体の内部において前記複数の層面のうちの前記第１の層面と異なる層面に設けられて、第１の引出導体部と、前記第１の引出導体部の第１の端部に設けられた第５のパッド部とを有する第１の引出導体と、
前記積層体の内部において前記複数の層面のうちの前記第１の層面と異なる層面に設けられて、第２の引出導体部と、前記第２の引出導体部の第１の端部に設けられた第６のパット部とを有する第２の引出導体と、
前記積層体の内部において前記複数の層面のうちの前記第２の層面と異なる層面に設けられて、第３の引出導体部と、前記第３の引出導体部の第１の端部に設けられた第７のパット部とを有する第３の引出導体と、
前記積層体の内部において前記複数の層面のうちの前記第２の層面と異なる層面に設けられて、第４の引出導体部と、前記第４の引出導体部の第１の端部に設けられた第８のパット部とを有する第４の引出導体と、
前記複数の絶縁体層の少なくとも１つを貫通して前記第１のパッド部と前記第５のパッド部とに接続された第１のビア電極と、
前記複数の絶縁体層の少なくとも１つを貫通して前記第２のパッド部と前記第６のパッド部とに接続された第２のビア電極と、
前記複数の絶縁体層の少なくとも１つを貫通して前記第３のパッド部と前記第７のパッド部とに接続された第３のビア電極と、
前記複数の絶縁体層の少なくとも１つを貫通して前記第４のパッド部と前記第８のパッド部とに接続された第４のビア電極と、
を備え、
前記第１の渦巻状導体線部は前記複数の絶縁体層のうちの１つを介して前記第２の渦巻状導体線部と対向しており、
前記第２のパッド部と前記第６のパッド部とのそれぞれは、前記第４のパッド部と前記第８パッド部とのいずれとも上面視で重ならない、コモンモードノイズフィルタ。
【請求項２】
前記第１のパッド部と第５のパッド部とのそれぞれは、前記第３のパッド部と前記第７のパッド部とのいずれとも上面視で重ならない、請求項１に記載のコモンモードノイズフィルタ。
【請求項３】
前記第２のパッド部と前記第６のパッド部とのそれぞれから前記第４のパッド部と前記第８のパッド部とのそれぞれまでの上面視での距離は、前記第１から第８のパッド部の直径よりも大きい、請求項２に記載のコモンモードノイズフィルタ。
【請求項４】
前記第１の渦巻状導体線部は、
前記第１の外側端から延びて、前記第２の渦巻状導体線部と上面視で重ならない第１の外側非重畳部と、
前記第１の外側非重畳部に接続されて、前記第２の渦巻状導体線部と上面視で重なる第１の重畳部と、
を有し、
前記第２の渦巻状導体線部は、
前記第２の外側端から延びて、前記第１の渦巻状導体線部と上面視で重ならない第２の外側非重畳部と、
前記第２の外側非重畳部に接続されて、前記第１の渦巻状導体線部と上面視で重なる第２の重畳部と、
を有し、
前記第１の重畳部は上面視で接続位置で前記第１の外側非重畳部に接続されており、
前記第２の重畳部は上面視で前記接続位置で前記第２の外側非重畳部に接続されており、
前記第２の外側端に比べて前記第１の外側端は前記接続位置に近い、請求項２に記載のコモンモードノイズフィルタ。
【請求項５】
前記第２の外側非重畳部の線長は前記第１の外側非重畳部の線長より長い、請求項４に記載のコモンモードノイズフィルタ。
【請求項６】
前記第１の渦巻状導体線部は、前記第１の内側端から延びて前記第１の重畳部に接続されて、前記第２の渦巻状導体線部と上面視で重ならない内側非重畳部をさらに有する、請求項４に記載のコモンモードノイズフィルタ。
【請求項７】
前記第１の引出導体と前記第２の引出導体と前記第１の渦巻状導体とは第１のコイルを構成し、
前記第３の引出導体と前記第４の引出導体と前記第２の渦巻状導体とは第２のコイルを構成し、
前記第１の外側非重畳部の線長と前記第２の外側非重畳部の線長と前記内側非重畳部の線長とは、前記第１のコイルの線長が前記第２のコイルの線長と実質的に等しくなるように設定されている、請求項６に記載のコモンモードノイズフィルタ。
【請求項８】
前記第１の引出導体と前記第２の引出導体と前記第１の渦巻状導体とは第１のコイルを構成し、
前記第３の引出導体と前記第４の引出導体と前記第２の渦巻状導体とは第２のコイルを構成し、
前記第１の外側非重畳部の線長と前記第２の外側非重畳部の線長とは、前記第１のコイルの線長が前記第２のコイルの線長と実質的に等しくなるように設定されている、請求項４に記載のコモンモードノイズフィルタ。
【請求項９】
上面視において前記第２の渦巻状導体線部は前記第１の渦巻状導体線部の前記第１の外側端と重なる、請求項２に記載のコモンモードノイズフィルタ。
【請求項１０】
前記第１の引出導体は前記第３の引出導体と上面視で重ならず、
前記第２の引出導体は前記第４の引出導体と上面視で重ならない、請求項２に記載のコモンモードノイズフィルタ。
【請求項１１】
前記積層体の外部に設けられて前記第１の引出導体部の第２の端部に接続された第１の外部電極と、
前記積層体の外部に設けられて前記第２の引出導体部の第２の端部に接続された第２の外部電極と、
前記積層体の外部に設けられて前記第３の引出導体部の第２の端部に接続された第３の外部電極と、
前記積層体の外部に設けられて前記第４の引出導体部の第２の端部に接続された第４の外部電極と、
をさらに備えた、請求項１に記載のコモンモードノイズフィルタ。
【国際調査報告】
2017221794.tif 000013
2017221794.tif 000014
2017221794.tif 000015
2017221794.tif 000016
2017221794.tif 000017